(57)【要約】【課題】遠赤外線効果を利用して低温で入浴でき、設置場所の耐水性や耐熱性が不要で遠赤外線効果を有効に利用でき、設置自在性、省エネルギー性に優れ、清掃が容易でメンテナンス性、衛生性に優れ、簡便に折り畳んで運搬や収納ができ省スペース性、実用性に優れる岩盤浴ベッドの提供。【解決手段】（ａ）長手方向の中央部で床部が半分割された折り畳み自在のベッド部と、（ｂ）半分割された床部の各々に配設された基部と、基部の上部に配設された断熱材と、断熱材の上部に配設された面状ヒータと、面状ヒータの上部に配設された金属製の防水板と、防水板の上部に固設された遠赤外線等の電磁波を放射する放射体岩盤と、断熱材，面状ヒータ，防水板，放射体岩盤の外周を囲繞し基部の上部に配設された外周囲繞部と、を有する入浴部と、（ｃ）入浴部の上部に着脱自在に配設され入浴者の身体を覆うカバー部と、を備えている。【選択図】図１
0003116558.tif 000002
【実用新案登録請求の範囲】
【請求項１】
（ａ）長手方向の中央部で床部が半分割された折り畳み自在のベッド部と、（ｂ）半分割された前記床部の各々に配設された基部と、前記基部の上部に配設された断熱材と、前記断熱材の上部に配設された面状ヒータと、前記面状ヒータの上部に配設された金属製の防水板と、前記防水板の上部に固設された遠赤外線等の電磁波を放射する放射体岩盤と、前記断熱材，前記面状ヒータ，前記防水板，前記放射体岩盤の外周を囲繞し前記基部の上部に配設された外周囲繞部と、を有する入浴部と、（ｃ）前記入浴部の上部に着脱自在に配設され入浴者の身体を覆うカバー部と、を備えていることを特徴とする岩盤浴ベッド。
【請求項２】
前記カバー部の内面に配設されたカバー部面状ヒータを備えていることを特徴とする請求項１に記載の岩盤浴ベッド。
【請求項３】
前記カバー部が、有底略半円筒状に形成され前記入浴者の下半身側に覆設される下半身用カバー部と、略半円筒状に形成され前記入浴者の上半身側に覆設される上半身用カバー部と、前記上半身用カバー部の前記下半身用カバー部側の端部に配設され前記下半身用カバー部の外周面と密着するシール部材と、を備えていることを特徴とする請求項１又は２に記載の岩盤浴ベッド。
【請求項４】
前記入浴部が、前記放射体岩盤の両側部に前記入浴部の長手方向と平行に前記外周囲繞部に形設されたガイドレールを有し、前記上半身用カバー部が、前記下半身用カバー部の外径と略同等の内径に形成され、前記ガイドレールに案内される車輪部を備えていることを特徴とする請求項３に記載の岩盤浴ベッド。
【請求項５】
前記ベッド部と前記入浴部を着脱自在に固定する入浴部固定手段を備えていることを特徴とする請求項１乃至４の内いずれか１項に記載の岩盤浴ベッド。
【請求項６】
前記上半身用カバー部の開口部に着脱自在に配設され前記入浴者の首周りを密閉する密閉部材を備えていることを特徴とする請求項３乃至５の内いずれか１項に記載の岩盤浴ベッド。
【考案の詳細な説明】
【技術分野】
【０００１】
本考案は、遠赤外線等の電磁波を放射する放射体岩盤を利用した低温の岩盤浴ベッドに関するものである。
【背景技術】
【０００２】
近年、入浴者の発汗作用を促進し健康を増進させる目的で設けられているサウナは、温泉等の施設に併用されて設置されることが多く、ダイエットや入浴後の爽快感を目的に多くの人に利用されている。
このような施設に出掛けることなく、家庭等において手軽に利用可能な個人向けのサウナについて、様々な検討がなされている。
例えば（特許文献１）には、「軸方向に入れ子式に接続される複数個の半円筒状体と、前記半円筒状体の内面略全面に設けられた抵抗体としてカーボンブラックを含む面状発熱体とを備えることを特徴とする遠赤外線健康器。」が開示されている。
（特許文献２）には、「折り畳み自在に構成されたベース部材と、該ベース部材の身体の挿入方向と直交する方向の両側端部に着脱自在に取り付けて、該ベース部材の上方をカバーするカバー部材と、該ベース部材の身体の挿入方向奥側の端部と、該カバー部材の身体の挿入方向奥側の端部とに着脱自在に取り付けて、該ベース部材と該カバー部材との間に形成される身体の挿入方向奥側の開口を塞ぐ閉塞部材と、を備えた組立式サウナであって、前記カバー部材に、マイナスイオンを発生する鉱物を混入したシート状部材と、ヒータとを取り付けたことを特徴とする組立式サウナ」が開示されている。
（特許文献３）には、「積層された平板状のシート、および前記シートの層間に挿入された電熱装置を備えた下部マットと、前記下部マットと同一の積層構造を備えた上部マットと、前記下部マットの長辺に、前記上部マットの長辺を連結する連結手段と、前記連結手段により前記下部マットと前記上部マットとを連結した状態で、前記上部マットが半円筒のトンネル形状を保つように、前記上部マットの短辺方向に張った複数本の補強バーとを備えたことを特徴とするドーム型サウナ装置」が開示されている。
（特許文献４）には、「ベット本体に、掛けカバー立てを設け、断熱クッション板の上部に、面熱体カーボン電熱ヒーターとトルマリン粒体鉱石装着金属板にトルマリン鉱石被服布を設け、ベット本体に電気コントロールボックスと電気コンセントを設け、保温掛けカバーを設けたトルマリン鉱石温熱サウナベット」が開示されている。
【特許文献１】特開２０００−１４０１３５号公報
【特許文献２】特開２００４−１２１３０４号公報
【特許文献３】特開２００３−２４５３２６号公報
【特許文献４】特開２００１−１３７３６８号公報
【考案の開示】
【考案が解決しようとする課題】
【０００３】
しかしながら上記従来の技術は、以下のような課題を有していた。
（１）（特許文献１）では、半円筒状体の内面に設けられた面状発熱体のみで加熱を行うので、ドーム内全体を所定の温度に加熱するまでに時間を要すると共に、使用時には面状発熱体に面した側の体表面だけが温められることになり、床シート側との温度差が発生し、長時間、同じ姿勢を保つことが困難で、入浴者が身体を回転させなければならず、使用性に欠けるという課題を有していた。また、床シートとして赤外線反射シートを用いた場合でも、十分な温熱効果を得ることができず、実用性に欠けるという課題を有していた。
（２）（特許文献２）では、ベース部材が折り畳み自在であると共に、カバー部材が複数に分割可能で、ベース部材に対して着脱自在となっているが、組立て及び分解作業が煩雑で取扱い性、実用性に欠けるという課題を有していた。また、ヒータがカバー部材側にしかないため、（特許文献１）と同様に加熱に時間を要すると共に、入浴者の身体を上方側からしか温めることができず、実用性に欠けるという課題を有していた。さらに、マイナスイオンを発生する鉱物を混入したシート状部材をベース部材に取付けた場合でも、ベース部材を直接、加熱することができないので、これらの鉱物の遠赤外線効果を有効に利用することができず、サウナ性に欠けるという課題を有していた。
（３）（特許文献３）では、下部マットと上部マットの両方で入浴者の身体を温めることができるが、下部マットと上部マットを着脱自在にした場合には、組立て及び分解の作業が煩雑で取り扱い性に欠け、また、上部マットを下部マットに対して摺動又は回動自在に固定した場合には、下部マットを折り畳んだりすることができす、不使用時の省スペース性に欠けるという課題を有していた。
（４）（特許文献４）では、ベット本体の面熱体カーボン電熱ヒーターにより、入浴者の身体を下面側からしか温めることができず、体全体に遠赤外線を均等に当てるためには、入浴者が一定時間おきに身体の向きを変える必要があり使用性に欠けるという課題を有していた。また、掛けカバー立てに保温掛けカバーを掛けた場合でも、密閉性に欠けるため、十分な保温効果がなく、遠赤外線効果を有効に利用することができず、省エネルギー性に欠けるという課題を有していた。さらに、ベット本体を二つに分割することはできるが、折り畳むことができないので、不使用時の省スペース性に欠けるという課題を有していた。
【０００４】
本考案は上記従来の課題を解決するもので、放射体の遠赤外線効果を利用して低温で入浴でき安全性に優れ、入浴部に断熱性、気密性を有するカバー部を覆設して密閉空間を形成することにより、設置場所の耐水性や耐熱性を考慮する必要がなく設置自在性に優れると共に、遠赤外線効果を有効に利用でき省エネルギー性に優れ、カバー部を着脱自在とすることで入浴部の清掃が容易でメンテナンス性、衛生性に優れ、カバー部を取り外した状態で入浴部が形成されたベッド部を簡便に折り畳むことができ、運搬が容易で不使用時の省スペース性、実用性に優れる岩盤浴ベッドを提供することを目的とする。
【課題を解決するための手段】
【０００５】
上記従来の課題を解決するために本考案の岩盤浴ベッドは、以下の構成を有している。
本考案の請求項１に記載の岩盤浴ベッドは、（ａ）長手方向の中央部で床部が半分割された折り畳み自在のベッド部と、（ｂ）半分割された前記床部の各々に配設された基部と、前記基部の上部に配設された断熱材と、前記断熱材の上部に配設された面状ヒータと、前記面状ヒータの上部に配設された金属製の防水板と、前記防水板の上部に固設された遠赤外線等の電磁波を放射する放射体岩盤と、前記断熱材，前記面状ヒータ，前記防水板，前記放射体岩盤の外周を囲繞し前記基部の上部に配設された外周囲繞部と、を有する入浴部と、（ｃ）前記入浴部の上部に着脱自在に配設され入浴者の身体を覆うカバー部と、を備えた構成を有している。
この構成により、以下のような作用が得られる。
（１）ベッド部の床部が長手方向の中央部で半分割されて折り畳み自在に形成されると共に、入浴部に配設されたカバー部が着脱自在であるため、不使用時にカバー部を取り外すだけで容易にベッド部を折り畳んで運搬、収納することができる。
（２）入浴部の面状ヒータの上部に配設された防水板が金属製であることにより、面状ヒータの熱を効率よく短時間で放射体岩盤に伝達することができ、加熱時間を短縮することができ省エネルギー性に優れる。
（３）入浴部の上面に表面を露出して遠赤外線等の電磁波を放射する放射体岩盤が埋設されているので、面状ヒータの熱に加えて放射体岩盤からは遠赤外線が発生し、熱及び遠赤外線の両方が入浴者を温めるため、サウナ効果に優れると共に、面状ヒータの設定温度を低くすることができ、省エネルギー性に優れる。
（４）面状ヒータによる加熱を停止しても放射体岩盤の熱容量が大きく、カバー部内の空気に対して長時間にわたって熱や遠赤外線を放射するため、入浴部の保温性に優れる。
（５）放射体岩盤の遠赤外線の効果で面状ヒータの温度を低くできるため、低温で入浴することができ、高齢者や高血圧等の患者も利用できる。
（６）入浴部の上部に配設されたカバー部で入浴者の身体を覆って略密閉することができるので、カバー部の内側を短時間で加熱することができると共に、内部の熱が外部に逃げるのを防止でき保温性に優れる。
（７）入浴部がカバー部で覆われることにより、内部の熱や入浴者の汗により発生する湿気がカバー部の外部に漏れ難く、遠赤外線効果に優れると共に、設置場所の耐熱性や耐水性を必要とせず、設置自在性に優れる
（８）断熱材，面状ヒータ，防水板，放射体岩盤の外周を囲繞する外周囲繞部を有するので、各部を保護することができ、入浴者が直接、面状ヒータや防水板に触れることがなく安全性に優れると共に、放射体岩盤が欠ける等の破損を防止することができ、信頼性、耐久性に優れる。
（９）入浴部の外周が外周囲繞部で囲繞されると共に、入浴部の底部全体が基部及びベッド部の床部で支持されることにより、入浴部の剛性を確保して変形を防止することができる。
（１０）カバー部が入浴部に対して着脱自在なので、ベッド部や入浴部と別々に製造することができ、量産性に優れると共に、カバー部又は入浴部のいずれか一方に故障或いは破損等の不具合が発生した場合に、カバー部又は入浴部のみを代替品と交換したり、修理したりすることができる。
（１１）カバー部が入浴部に対して着脱自在なので、不使用時にカバー部を取り外して入浴部を清掃することができ、メンテナンス性、衛生性に優れる。
（１２）施設等に複数台、設置する場合に、岩盤浴ベッド毎に独立して運転することができるので、個別に電源のＯＮ／ＯＦＦを切り替えることができ省エネルギー性に優れると共に、入浴部の温度を個別に設定することができ汎用性、実用性に優れる。
【０００６】
ここで、ベッド部は長手方向の中央部で折り畳み自在な構造であればよい。例えば、分割された床部の端部同士を直接、ヒンジ等により回動自在に連結するものや或いは各々の床部の端部の幅方向に回動軸を配設し、その回動軸を連結部材で回動自在に軸支するもの等が好適に用いられる。このとき、ベッド部の脚部にキャスターを備えることにより、容易に手動で折り畳み作業を行うことができる。また、床部を裏面側で連結し、ベッド部を使用する際に伸張し、折り畳み時に復元するばねを備えた折り畳み機構や床部を連結する連結部材を伸縮若しくは折曲させるモータ等の駆動部を備えたものは、折り畳み時の省力性に優れる。
入浴部とベッド部は別々に製造したものをねじ止めや接着などの固定手段によって固定することができる。尚、入浴部は初めからベッド部の床部上に形成してもよく、その場合は、入浴部の基部を省略することができる。
【０００７】
断熱材としては、硬質で防水性があり、透湿性の低いものが好ましく、ポリスチレンフォームやウレタンフォーム等の発泡プラスチック系のものが好適に用いられる。板状に形成された硬質の断熱材を用いることで入浴部の変形を防止できる。
面状ヒータとしては、カーボンヒータが好適に用いられる。面状ヒータの温度をサーミスタで制御することにより、必要以上に温度が上昇するのを防止でき安全性、省エネルギー性に優れる。面状ヒータは分割された床部に対応して上半身側と下半身側に別々に配設されるが、それらの温度を１つのコントローラで制御することにより、温度差が生じるのを防止でき、入浴者に違和感、不快感を与えることはない。また、コントローラにタイマーを備えた場合、不必要な加熱を防止でき、安全性、省エネルギー性に優れる。
面状ヒータの発する熱が、平板状に形成された金属製の防水板の表面全体に略均一に伝達するので、加熱手段として温熱配管等を用いるものに比べて加熱の効率性に優れ、放射体岩盤全体を斑なく短時間で加熱することができ、実用性、省エネルギー性に優れる。特に、防水板の材質としてステンレス、アルミニウム、銅等の熱伝導性の高い金属を用いた場合、面状ヒータの発する熱を効率よく放射体岩盤に伝達して短時間で加熱を行うことができ、実用性、省エネルギー性を向上させることができる。
【０００８】
入浴部の放射体岩盤を形成する放射体としては、レキ岩、原陽石、ラドン鉱石、長石、電気石（トルマリン石）、ラジウム鉱石、麦飯石、花崗岩等の自然鉱石、石英、シリカ、人工セラミックス等を使用することができる。
放射体岩盤としては、前述の放射体の岩石を平板状に切断研磨するか、もしくは前述の放射体を破砕して得られた破砕物や粉末をセメント等と混和して岩盤状或いはタイル状に成形したもの等を用いることができる。略方形等に形成された複数枚の放射体岩盤を人体の大きさに合わせて入浴部の上面に表面を露出させて埋設することにより、入浴部に仰臥や横臥した入浴者を遠赤外線効果により温めることができる。また、入浴者の肩や背中、腰部等の位置に合わせて放射体岩盤を埋設した場合、選択的に遠赤外線効果を高めることができ、効率性に優れる。
放射体岩盤の外形寸法や厚さ等は、放射体の材質、入浴部の大きさ、面状ヒータの能力等に応じて適宜、選択できる。
【０００９】
外周囲繞部の材質としては、木材、廃プラスチックに木粉を混合した再生プラスチック等が好適に用いられる。特に再生プラスチックは、軽量で割れ、欠け、ささくれなどが発生せず取扱い性に優れると共に、湿気等による腐食が発生せず、雑菌やカビの繁殖を防止でき、温度変化による反りや膨張も発生し難く、耐久性、信頼性に優れ、好ましい。また、工場製作により高い寸法精度で製造することができ、容易に所望の寸法に加工して使用することができるので、製造工数を低減でき、施工性に優れる。外周囲繞部は一体に形成してもよいし、複数の部材に分割して形成してもよい。
【００１０】
カバー部は、入浴者が頭部を出すための開口部を除いて略密閉された構造とすることが好ましい。頭部をカバー部の外に出すことで入浴者の呼吸を確保できると共に、入浴部の保温性に優れ、湿気が外部に漏れ難く、遠赤外線効果に優れ、また設置場所に熱や湿気によるダメージが発生し難く、信頼性に優れるためである。特にカバー部を有底形状に形成し、開口部に入浴者の首周りを密閉するようにシート状の密閉部材を配設した場合、カバー部の密閉性を高めることができ、信頼性を向上できる。密閉部材を面ファスナー等の固定手段により着脱自在とするか、ファスナー等により開閉自在とすることにより、入浴部への出入りを容易に行うことができると共に、首周りを確実に密閉できる。
カバー部の材質としては、耐熱性、耐水性に優れるものが好ましく、メタクリル樹脂、ＰＥ、ＰＰ、ＰＣ等の合成樹脂やＦＲＰ、ＦＲＴＰ等の剛性を有する板材で形成してもよいし、芯材と合成樹脂製のシートを組合せて所望の形状に形成してもよい。特にカバー部の内側に断熱材を配設した場合、入浴部の保温性に優れ、サウナ効果を高めることができる。また、カバー部の少なくとも内周面に防黴剤を塗布するか、或いは成形時に防黴剤を添加した防黴性の合成樹脂でカバー部を成形した場合、黴の発生を効果的に防ぐことができ、衛生的でメンテナンス性に優れる。
尚、カバー部は複数に分割可能に形成してもよいし、一部又は全体を回動手段やファスナー等の開閉手段を用いて開閉可能に形成してもよい。これにより、入浴部への出入りが容易になり取扱い性に優れる。尚、カバー部の断面形状は略半円状や略矩形状を初め、任意の形状に形成することができる。
入浴部の温度は４０℃〜５０℃が好ましい。入浴部の温度が４０℃より低くなるにつれ温熱効果、遠赤外線効果が不足し、発汗作用が不十分となってサウナ効果が得られ難くなる傾向があり、５０℃より高くなるにつれ高温に弱い入浴者の利用が困難となって汎用性に欠ける傾向があり、いずれも好ましくない。尚、入浴部の温度は入浴者の体調や好みなどにより適宜、変更することができ汎用性に優れる。
【００１１】
本考案の請求項２に記載の考案は、請求項１に記載の岩盤浴ベッドであって、前記カバー部の内面に配設されたカバー部面状ヒータを備えた構成を有している。
この構成により、請求項１で得られる作用に加え、以下のような作用が得られる。
（１）カバー部の内面にカバー部面状ヒータを備えることにより、略密閉されたカバー部の内部を短時間で加熱することができ実用性に優れる。
（２）入浴部の面状ヒータ及び放射体岩盤に加えてカバー部面状ヒータを備えることで、全方向から入浴者の身体を均一に温めることができ、サウナ効果を高めることができると共に、入浴者が姿勢を変える必要がなく、楽な姿勢で長時間に渡って使用することが可能で実用性に優れる。
ここで、カバー部面状ヒータは、入浴部の面状ヒータと同様のものが好適に用いられる。カバー部の内面の内、入浴者の足裏に対向する面にカバー部面状ヒータを設けた場合、足裏からも入浴者を温めることができ、サウナ効果を高めることができる。尚、カバー部面状ヒータの内周側に入浴部の断熱材と同様にカバー部断熱材を配設した場合、カバー部面状ヒータの熱がカバー部の外部に逃げ難く、加熱の効率性、保温性、省エネルギー性に優れる。
【００１２】
本考案の請求項３に記載の考案は、請求項１又は２に記載の岩盤浴ベッドであって、前記カバー部が、有底略半円筒状に形成され前記入浴者の下半身側に覆設される下半身用カバー部と、略半円筒状に形成され前記入浴者の上半身側に覆設される上半身用カバー部と、前記上半身用カバー部の前記下半身用カバー部側の端部に配設され前記下半身用カバー部の外周面と密着するシール部材と、を備えた構成を有している。
この構成により、請求項１又は２で得られる作用に加え、以下のような作用が得られる。
（１）カバー部が、下半身用カバー部と上半身用カバー部に分かれているので、取扱い及び運搬が容易で、入浴部への着脱の作業性に優れる。
（２）下半身用カバー部が有底略半円筒状に形成され、上半身用カバー部が略半円筒状に形成されているので、入浴者の頭部を除く全身を略密閉された空間の中に収容することができ、加熱の効率性、保温性を向上させることができる。
（３）上半身用カバー部の下半身用カバー部側の端部に、下半身用カバー部の外周面と密着するシール部材を配設することにより、上半身用カバー部と下半身用カバー部との隙間を閉塞して気密性、保温性を確保することができ、サウナ効果を高めることができる。
【００１３】
ここで、上半身用カバー部の内径が、下半身用カバー部の外径と略同等以上となるように形成した場合、上半身用カバー部の一部を下半身用カバー部に重ねるようにして配置することができる。これにより、カバー部の全長を容易に調整することができ、入浴者の体格に関わらず、確実に首から下の全身をカバー部で覆うことができ、汎用性に優れる。
尚、シール部材としては、合成ゴム製等のパッキンが好適に用いられる。上半身用カバー部の端部側の内周にパッキン等のシール部材を配設することにより、下半身用カバー部の外周面と確実に密着させることができる。
【００１４】
本考案の請求項４に記載の考案は、請求項３に記載の岩盤浴ベッドであって、前記入浴部が、前記放射体岩盤の両側部に前記入浴部の長手方向と平行に前記外周囲繞部に形設されたガイドレールを有し、前記上半身用カバー部が、前記下半身用カバー部の外径と略同等の内径に形成され、前記ガイドレールに案内される車輪部を備えた構成を有している。
この構成により、請求項３で得られる作用に加え、以下のような作用が得られる。
（１）上半身用カバー部が、下半身用カバー部の外径と略同等の内径に形成され、入浴部の長手方向と平行に形設されたガイドレールに案内される車輪部を備えているので、人手で容易に上半身用カバー部を前後にスライドさせることができ、上半身用カバー部を大きくずらして入浴部に出入りしたり、カバー部の全長を調整したりできる。
（２）ガイドレールが、放射体岩盤の両側部に入浴部の長手方向と平行に外周囲繞部に形設されているので、上半身用カバー部をガイドレールで位置決め固定することができ、取扱い性に優れる。
（３）上半身用カバー部が、下半身用カバー部の外径と略同等の内径に形成されているので、不使用時に重ねてコンパクトに収納することができ省スペース性に優れる。
【００１５】
本考案の請求項５に記載の考案は、請求項１乃至４の内いずれか１項に記載の岩盤浴ベッドであって、前記ベッド部と前記入浴部を着脱自在に固定する入浴部固定手段を備えた構成を有している。
この構成により、請求項１乃至４の内いずれか１項で得られる作用に加え、以下のような作用が得られる。
（１）ベッド部と入浴部を着脱自在に固定する入浴部固定手段を有するので、ベッド部又は入浴部に不具合が発生した場合には、入浴部を取り外して簡便に不具合発生箇所を検査、修理することができメンテナンス性に優れる。
（２）入浴部がベッド部に対して着脱自在であることにより、入浴部とベッド部を別々に製造することができ、量産性に優れると共に、いずれか一方に不具合が発生した場合に、入浴部又はベッド部のみを代替品と交換したり、修理したりすることができ省資源性に優れる。
ここで、入浴部をベッド部に固定する入浴部固定手段としては、ねじ止めが好適に用いられる。ベッド部の床部と入浴部の基部及び外周囲繞部を簡便かつ強固に固定することができる。尚、入浴部の各部は基部上に形成され一体化されているので、取り扱いが容易で、ベッド部への取り付けを簡便に行うことができ量産性に優れる。
【００１６】
本考案の請求項６に記載の考案は、請求項３乃至５の内いずれか１項に記載の岩盤浴ベッドであって、前記上半身用カバー部の開口部に着脱自在に配設され前記入浴者の首周りを密閉する密閉部材を備えた構成を有している。
この構成により、請請求項３乃至５の内いずれか１項で得られる作用に加え、以下のような作用が得られる。
（１）上半身用カバー部の開口部に入浴者の首周りを密閉する密閉部材を有するので、カバー部内の気密性、保温性を高めることができ、加熱の効率性に優れる。
（２）密閉部材が上半身用カバー部に対して着脱自在であることにより、密閉部材を取り外した状態でカバー部内に入り、その後、密閉部材を取り付けて首周りを確実に密閉できるので、入浴部への出入りを容易に行うことができ実用性に優れる。
（３）密閉部材を着脱自在とすることで容易に交換、清掃を行うことができ、衛生的でメンテナンス性に優れる。
ここで、密閉部材としては、耐水性、耐熱性を有する合成樹脂製のシートが好適に用いられ、特に、遠赤外線反射シートを用いた場合、サウナ効果を高めることができる。密閉部材がシート状で柔らかいので、カバー部の内側からも密閉部材をめくるようにして容易に着脱作業を行うことができ、着脱作業性に優れる。
【考案の効果】
【００１７】
以上のように、本考案の岩盤浴ベッドは、請求項１に記載の考案によれば、以下のような有利な効果が得られる。
（１）入浴部が、折り畳み自在なベッド部に形成され、カバー部が入浴部に対して着脱自在であるため、不使用時にカバー部を取り外すだけで容易にベッド部と共に入浴部を折り畳んで運搬、収納することができる省スペース性、搬送性に優れた岩盤浴ベッドを提供することができる。
（２）入浴部の面状ヒータの上部に配設された防水板が金属製であることにより、面状ヒータの熱を効率よく短時間で放射体岩盤に伝達することができ、加熱時間を短縮することができる省エネルギー性、実用性に優れた岩盤浴ベッドを提供することができる。
（３）入浴部の上面に表面を露出して遠赤外線等の電磁波を放射する放射体岩盤が埋設されているので、面状ヒータの熱に加えて放射体岩盤からは遠赤外線が発生し、熱及び遠赤外線の両方が入浴者を温めるため、サウナ効果に優れると共に、面状ヒータの設定温度を低くすることができる省エネルギー性に優れた岩盤浴ベッドを提供することができる。
（４）面状ヒータによる加熱を停止しても、熱容量の大きな放射体岩盤から、カバー部内の空気に対して長時間にわたって熱や遠赤外線を放射することができる入浴部の保温性に優れた岩盤浴ベッドを提供することができる。
（５）放射体岩盤の遠赤外線の効果で面状ヒータの温度を低くできるため、低温で入浴することができ、高齢者や高血圧等の患者も利用できる汎用性に優れた岩盤浴ベッドを提供することができる。
（６）入浴部の上部に配設されたカバー部で入浴者の身体を覆って略密閉することにより、カバー部の内側を短時間で加熱でき省エネルギー性に優れると共に、内部の熱が外部に逃げ難く保温性に優れた岩盤浴ベッドを提供することができる。
（７）入浴部がカバー部で覆われることにより、内部の熱や入浴者の汗により発生する湿気がカバー部の外部に漏れ難く、遠赤外線効果に優れると共に、設置場所の耐熱性や耐水性を必要としない設置自在性に優れた岩盤浴ベッドを提供することができる。
（８）入浴部の外周を外周囲繞部で囲繞し、底部全体を基部及びベッド部の床部で支持することにより、入浴部の剛性を確保して、入浴者の体重を支えることができ、入浴部の変形を防止できる耐久性、信頼性に優れた岩盤浴ベッドを提供することができる。
（９）カバー部をベッド部や入浴部と別々に製造することができ、量産性に優れると共に、カバー部又は入浴部のいずれか一方に故障或いは破損等の不具合が発生した場合に、カバー部又は入浴部のみを代替品と交換したり、修理したりすることができるメンテナンス性、省資源性に優れた岩盤浴ベッドを提供することができる。
（１０）不使用時にカバー部を取り外すことで容易に入浴部を清掃することができるメンテナンス性、衛生性に優れた岩盤浴ベッドを提供することができる。
（１１）施設等に複数台、設置したものを独立して運転することができ、個別に電源のＯＮ／ＯＦＦの切り替え及び入浴部の温度設定を行うことができる省エネルギー性、汎用性、実用性に優れた岩盤浴ベッドを提供することができる。
【００１８】
請求項２に記載の考案によれば、請求項１に記載の効果に加えて以下のような有利な効果が得られる。
（１）カバー部の内面に配設されたカバー部面状ヒータにより、略密閉されたカバー部の内部を短時間で加熱することができる実用性に優れた岩盤浴ベッドを提供することができる。
（２）入浴部の面状ヒータ及び放射体岩盤に加えてカバー部面状ヒータを備えることで、全方向から入浴者の身体を均一に温めることができ、サウナ効果を高めることができると共に、入浴者が姿勢を変える必要がなく、楽な姿勢で長時間に渡って使用することが可能な実用性に優れた岩盤浴ベッドを提供することができる。
【００１９】
請求項３に記載の考案によれば、請求項１又は２に記載の効果に加えて以下のような有利な効果が得られる。
（１）下半身用カバー部と上半身用カバー部に分かれたカバー部は、取扱い及び運搬が容易で、入浴部への着脱作業性に優れ、取扱い性、搬送性に優れた岩盤浴ベッドを提供することができる。
（２）有底略半円筒状に形成された下半身用カバー部と、略半円筒状に形成された上半身用カバー部により、入浴者の頭部を除く全身を略密閉された空間の中に収容することができる加熱の効率性、保温性に優れた岩盤浴ベッドを提供することができる。
（３）上半身用カバー部の下半身用カバー部側の端部と、下半身用カバー部の外周面との間をシール部材で密閉することにより、カバー部内側の気密性、保温性を確保することができるサウナ効果に優れた岩盤浴ベッドを提供することができる。
【００２０】
請求項４に記載の考案によれば、請求項３に記載の効果に加えて以下のような有利な効果が得られる。
（１）入浴部の長手方向と平行に形設されたガイドレールにより、人手で容易に上半身用カバー部を前後にスライドさせることができ、入浴部への出入りや、カバー部の全長の調整を簡便に行うことができる実用性、汎用性に優れた岩盤浴ベッドを提供することができる。
【００２１】
請求項５に記載の考案によれば、請求項１乃至４の内いずれか１項に記載の効果に加えて以下のような有利な効果が得られる。
（１）ベッド部と入浴部が入浴部固定手段により着脱自在に固定されることにより、ベッド部又は入浴部に不具合が発生した場合には、入浴部を取り外して簡便に不具合発生箇所を検査、修理することができるメンテナンス性に優れた岩盤浴ベッドを提供することができる。
（２）入浴部とベッド部を別々に製造した上で入浴部固定手段で固定することができるので、組立て作業が容易で量産性に優れると共に、いずれか一方に不具合が発生した場合に、入浴部又はベッド部のみを代替品と交換したり、修理したりすることができる省資源性に優れた岩盤浴ベッドを提供することができる。
【００２２】
請求項６に記載の考案によれば、請求項３乃至５の内いずれか１項に記載の効果に加えて以下のような有利な効果が得られる。
（１）上半身用カバー部の開口部に配設された密閉部材で入浴者の首周りを確実に密閉することにより、カバー部内の気密性、保温性を高めることができる加熱の効率性に優れた岩盤浴ベッドを提供することができる。
（２）密閉部材が上半身用カバー部に対して着脱自在であることにより、入浴部への出入りを容易に行うことができる実用性に優れた岩盤浴ベッドを提供することができる。
【００２３】
以下、本考案の実施の形態における岩盤浴ベッドについて、図面を参照しながら説明する。
（実施の形態１）
図１（ａ）は実施の形態１における岩盤浴ベッドの使用状態を示す全体斜視図であり、図１（ｂ）は実施の形態１における岩盤浴ベッドの入浴部を開口した状態を示す全体斜視図である。
図１中、１は実施の形態１における岩盤浴ベッド、２は長手方向の中央部で半分割された床部３ａ，３ｂが連結部材２ａで折り畳み自在に連結された岩盤浴ベッド１のベッド部、３ｃは各々の床部３ａ，３ｂの端部の幅方向に配設され連結部材２ａに回動自在に軸支されたベッド部２の回動軸、４はベッド部２の四隅に軸支部４ａ（図２）により回動自在に支持された脚部、４ｂは各々の脚部４に２つずつ配設されたキャスター、５ａ，５ｂは床部３ａ，３ｂにそれぞれ固設された岩盤浴ベッド１の入浴部、２０は入浴部の５ａ，５ｂの上部に着脱自在に配設され入浴者３０の身体を覆うカバー部、２１は略半円筒状に形成され入浴者３０の上半身側に覆設される上半身用カバー部、２１ａは上半身用カバー部２１の開口部に着脱自在に配設され入浴者３０の首周りを密閉するシート状の密閉部材、２１ｂは上半身用カバー部２１の外周面に形設された把手部、２２は有底略半円筒状に形成され入浴者３０の下半身側に覆設される下半身用カバー部、２２ａは入浴者３０の足底側を閉塞する下半身用カバー部２２の底部である。
【００２４】
次に、入浴部及びカバー部の詳細について説明する。
図２は図１（ａ）におけるＡ−Ａ線矢視断面図であり、図３は実施の形態１における岩盤浴ベッドの入浴部を示す平面図であり、図４は図３におけるB−B線要部矢視断面図である。
図２乃至図４中、６は各々の床部３ａ，３ｂに配設された入浴部５ａ，５ｂの基部、７は基部６の上部に配設されたポリスチレンフォームやウレタンフォーム等の発泡プラスチック系の板状の断熱材、８は断熱材７の上部に配設されたカーボンヒータ等の面状ヒータ、８ａは面状ヒータ８の電気ケーブル、８ｂは入浴部５ａ，５ｂの面状ヒータ８の温度を制御するコントローラ、１０は断面コ字型の箱状に形成され接着層９により面状ヒータ８の上部に接着されて断熱材７及び面状ヒータ８の外周を保護するステンレス製の防水板、１０ａは防水板１０の端部を折り返して基部２に固定した防水板固定部、１２は接着層１１により防水板１０の上部に固設された遠赤外線等の電磁波を放射する放射体岩盤、１３は木材や再生プラスチック等で形成され断熱材７，面状ヒータ８，防水板１０，放射体岩盤１２の外周を囲繞し基部２の上部に配設された外周囲繞部、１３ａは上半身側と下半身側に分割された入浴部５ａ，５ｂの端部を保護するステンレス製の端部保護板、１４は放射体岩盤１２の両側部に入浴部５ａ，５ｂの長手方向と平行に外周囲繞部１３に埋設されたＶレールやＹレール等のガイドレール、１５はベッド部２の床部３ａ，３ｂに入浴部５ａ，５ｂを固定するボルト等の入浴部固定手段、２１ｃは上半身用カバー部２１の下半身用カバー部２２側の端部内周に配設され下半身用カバー部２２の外周面と密着する合成ゴム製のシール部材、２３は上半身用カバー部２１及び下半身用カバー部２２の内周面にそれぞれ配設された面状ヒータ８と同様のカバー部面状ヒータ、２４は上半身用カバー部２１の下部に配設されガイドレール１４に案内される車輪部である。
【００２５】
本実施の形態では、ベッド部２の分割された床部３ａ，３ｂの端部に回動軸３ｃを配設し、それらを連結部材２ａで回動自在に軸支したが、これに限定されるものではなく、長手方向の中央部で折り畳み自在な構造であればよい。例えば、分割された床部３ａ，３ｂの端部同士を直接、ヒンジ等により回動自在に連結してもよい。また、脚部４はベッド部２の四隅に軸支部４ａにより回動自在に支持すると共に、キャスター４ｂを配設した。これにより、容易にベッド部２を手動で折り畳むことができ作業性に優れる。尚、折り畳み機構として、床部３ａ，３ｂを裏面側で連結し、ベッド部２を使用する際に伸張し、折り畳み時に復元するばねを備えたものや、床部３ａ，３ｂを連結する連結部材を伸縮若しくは折曲させるモータ等の駆動部を備えたものは、折り畳み時の省力性に優れる。
【００２６】
本実施の形態では、断熱材７としてポリスチレンフォームやウレタンフォーム等の発泡プラスチック系のものを用いたが、これに限定されるものではない。特に、硬質で防水性があり、透湿性の低いものが好ましい。
面状ヒータ８及びカバー部面状ヒータ２３の温度は、サーミスタ（図示せず）で制御した。これにより、必要以上に温度が上昇するのを防止でき安全性、省エネルギー性に優れる。尚、面状ヒータ８は分割された床部３ａ，３ｂに対応して上半身側と下半身側に別々に配設したが、それらの温度を１つのコントローラ８ｂで制御した。これにより、上半身側と下半身側で温度差が生じることがなく、入浴者３０が違和感や不快感を感じるのを防止できる。尚、上半身側と下半身側の温度は別々にコントロールしてもよい。また、コントローラ８ｂにタイマーを備えた場合、一定時間経過後に確実に加熱を停止して不必要な加熱を防止でき、脱水症状防止等の安全性、省エネルギー性に優れる。施設等に複数の岩盤浴ベッド１を設置する場合、１台ずつ個別に温度設定を行うことができるので、入浴者３０の体調や好み等に応じて低温用と高温用を使い分けたり、或いは細かく温度を変更したりでき汎用性、取扱い性に優れる。
平板状の防水板１０が接着層９を挟んで面状ヒータ８上に積層されているので、面状ヒータ８の発する熱を防水板１０の面全体に略均一に伝達させることができ加熱の効率性に優れる。防水板１０の材質としては、ステンレス以外にアルミニウム、銅等の熱伝導性の高い金属を用いることができる。面状ヒータ８の発する熱を効率よく放射体岩盤１２に伝達して短時間で加熱を行うことができ、実用性、省エネルギー性に優れるためである。尚、防水板１０の熱膨張は外周囲繞部１３などの他の部材の弾性により吸収することができる。
【００２７】
入浴部５ａ，５ｂの放射体岩盤１２を形成する放射体としては、レキ岩、原陽石、ラドン鉱石、長石、電気石（トルマリン石）、ラジウム鉱石、麦飯石、花崗岩等の自然鉱石、石英、シリカ、人工セラミックス等を使用することができる。
放射体岩盤１２としては、放射体の岩石を平板状に切断研磨するか、もしくは放射体を破砕して得られた破砕物や粉末をセメント等と混和して岩盤状或いはタイル状に成形したもの等を用いることができる。略方形状に形成された複数枚の放射体岩盤１２を人体の大きさに合わせて入浴部５ａ，５ｂの上面に表面を露出させて埋設することにより、入浴部５ａ，５ｂに仰臥や横臥した入浴者３０を遠赤外線効果により温めることができる。また、入浴者３０の肩や背中、腰部等の位置に合わせて放射体岩盤１２を埋設した場合、選択的に遠赤外線効果を高めることができ、効率性に優れる。
尚、各々の放射体岩盤１２の外形寸法や厚さは、放射体の材質、入浴部５ａ，５ｂ全体の大きさ、面状ヒータ８の能力等に応じて適宜、選択できる。
【００２８】
外周囲繞部１３の材質として、廃プラスチックに木粉を混合した再生プラスチックを用いた場合、軽量で割れ、欠け、ささくれなどが発生せず取扱い性に優れる。また、湿気等による腐食が発生せず、雑菌やカビの繁殖を防止でき、温度変化による反りや膨張も発生し難く、耐久性、信頼性に優れる。さらに、工場製作により高い寸法精度で製造することができ、容易に所望の寸法に加工して使用することができるので、製造工数を低減でき、施工性に優れる。外周囲繞部１３はコ字型に形成され、入浴部５ａ，５ｂそれぞれに分割されて配設されることにより放射体岩盤１２の外周を囲繞している。尚、外周囲繞部１３は一体に形成する代わりに入浴部５ａ，５ｂの外周の各辺毎に分割された部材を組み合わせて形成してもよい。
本実施の形態では、ベッド部２の床部３ａ，３ｂと入浴部５ａ，５ｂの基部６及び外周囲繞部１３の要所を入浴部固定手段１５で固定したが、初めからベッド部２の床部３ａ，３ｂ上に入浴部５ａ，５ｂを形成してもよい。このとき、入浴部５ａ，５ｂの基部６は省略してもよい。
【００２９】
密閉部材２１ａは上半身用カバー部２１の開口部側の端面又は内周面に面ファスナー等の固定手段（図示せず）を用いて着脱自在に配設した。密閉部材２１ａとしては、耐水性、耐熱性を有する合成樹脂製のシートが好適に用いられ、特に遠赤外線反射シートを用いた場合、サウナ効果を高めることができる。密閉部材２１ａがシート状で柔らかいので、カバー部２１の内側からも密閉部材２１ａをめくるようにして容易に着脱作業を行うことができる。
上半身用カバー部２１及び下半身用カバー部２２の材質としては、耐熱性、耐水性、断熱性に優れるものが好ましい。メタクリル樹脂、ＰＥ、ＰＰ、ＰＣ等の合成樹脂やＦＲＰ、ＦＲＴＰ等の剛性を有する板材で形成した場合、耐久性に優れると共に、軽量で運搬が容易で取扱い性に優れる。また、合成樹脂製や金属製等の芯材と合成樹脂製のシートを組合せてカバー部２０を形成した場合、さらに軽量で容易に持ち運ぶことができると共に、不使用時には折り畳んでコンパクトに収容することができ省スペース性に優れる。尚、上半身用カバー部２１及び下半身用カバー部２２は、前述の合成樹脂製の板材を基材としてその内周側に入浴部５ａ，５ｂの断熱材７と同様のカバー部断熱材を積層して形成してもよい。カバー部２０の断熱性を向上させることができるので、内周面に貼着されたカバー部面状ヒータ２３の熱がカバー部２１の外部に逃げ難く、加熱の効率性、保温性、省エネルギー性に優れ、サウナ効果を高めることができる。
カバー部２１の少なくとも内周面に防黴剤を塗布するか、或いは成形時に防黴剤を添加した防黴性の合成樹脂でカバー部２１を成形した場合、黴の発生を効果的に防ぐことができ、衛生的でメンテナンス性に優れる。
【００３０】
上半身用カバー部２１の内径は、下半身用カバー部２２の外径と略同等以上となるように形成した。これにより、上半身用カバー部２１の一部を下半身用カバー部２２に重ねるようにして配置することができ、カバー部２０の全長を容易に調整することができ、入浴者３０の体格に関わらず、確実に首から下の全身をカバー部２０で覆うことができ、汎用性に優れる。上半身用カバー部２１の外周面に把手部２１ｂを形設することにより、入浴部５ａへの着脱、上半身用カバー部２１の開閉動作、運搬作業に利用することができ機能性、取扱い性に優れる。また、把手部２１ｂを設けず、上半身用カバー部２１の開口部の端部を直接掴んで開閉作業を行うこともできる。尚、本実施の形態では把手部２１ｂを上半身用カバー部２１の一側部に凹状に形成したが、把手部２１ｂの数、位置、形状はこれに限定されるものではない。把手部２１ｂは上半身用カバー部２１の両側部に一箇所ずつ或いは上面側に一箇所のみ設けてもよいし、上半身用カバー部２１の外周面や開口部の端面等に略コ字型等の突起状に形成してもよい。下半身用カバー部２２にも上半身用カバー部２１の開閉時に干渉しない範囲で把手部を設けることができる。
上半身用カバー部２１の下半身用カバー部２２側の端部内周にはパッキン等のシール部材２１ｃを配設し、下半身用カバー部２２の外周面と確実に密着させて密閉性を向上させた。
尚、本実施の形態では上半身用カバー部２１及び下半身用カバー部２２の断面形状は略半円状に形成したが、これに限定されるものではなく、略矩形状を初め、任意の形状に形成することができる。
【００３１】
上半身用カバー部２１を案内するガイドレール１４は、上端が外周囲繞部１３の上面と略面一になるように埋設した。これにより、入浴者３０が入浴部５ａ，５ｂへ出入りする際や入浴部５ａ，５ｂの清掃をする際、或いはベッド部２を折り畳んで運搬、収容する際などにガイドレール１４が邪魔になることがなく、また、汗等の汚水を確実に入浴部５ａ，５ｂの外に洗い流すことができ、安全性、取扱い性に優れる。
また、上半身用カバー部２１の車輪部２４としては、ガイドレール１４の形状に応じてＶ型やＹ型の戸車等を用いることができる。ガイドレール１４を凹状に形成することで、車輪部２４が脱輪し難く、上半身用カバー部２１がベッド部２から落下するのを防止でき信頼性に優れる。
【００３２】
以上のように形成された実施の形態１における岩盤浴ベッドの使用方法について説明する。
図５は実施の形態１における岩盤浴ベッドの折り畳み状態を示す側面図である。
まず、入浴部５ａ，５ｂの面状ヒータ８及びカバー部２０のカバー部面状ヒータ２３により、加熱を行う。加熱は入浴部５ａ，５ｂの放射体岩盤１２の表面（カバー部２０の内部）の温度が４０℃〜５０℃となるように行った。入浴部５ａ，５ｂの温度が４０℃より低くなるにつれ温熱効果、遠赤外線効果が不足し、発汗作用が不十分となってサウナ効果が得られ難くなる傾向があり、５０℃より高くなるにつれ高温に弱い入浴者３０の利用が困難となって汎用性に欠ける傾向があることがわかったためである。
【００３３】
入浴者３０は、図１（ｂ）に示すように上半身用カバー部２１を把手部２１ｂを利用する等して下半身用カバー部２２側にスライドさせ、入浴部５ａを開口させる。下半身を下半身用カバー部２２の中に入れ、入浴部５ｂの放射体岩盤１２上に載せる。次に、図１（ａ）に示すように上半身用カバー部２１を把手部２１ｂにより入浴部５ａ側にスライドさせ、頭部を上半身用カバー部２１の開口部から出す。
上半身用カバー部２１の開口部近傍に把手部２１ｂを設けることにより、簡便に上半身用カバー部２１の開閉を行うことができ取扱い性に優れる。最後に、密閉部材２１ａを面ファスナー等の固定手段により開口部に取り付けて首周りを密閉する。放射体岩盤１２上では、仰臥や横臥、俯せになるなどして楽な姿勢で入浴する。下方の入浴部５ａ，５ｂからは面状ヒータ８の熱に加え、放射体岩盤１２から遠赤外線が放射されるので、熱及び遠赤外線の両方が入浴者３０を温める。また、上方及び側方からもカバー部２０のカバー部面状ヒータ２３により入浴者３０を温めることができる。
入浴者３０から排出された汗の大部分は、入浴者３０の浴衣、タオルやシーツ等の敷物に吸収されるが、使用後にカバー部２０を取り外すことにより、容易に入浴部５ａ，５ｂ全体を拭取って清掃することができ、衛生的に保つことができる。
不使用時には、把手部２１ｂ等を利用して上半身用カバー部２１及び下半身用カバー部２２をベッド部２から取り外し、図５に示すようにベッド部２と共に入浴部５ａ，５ｂを折り畳み、運搬、収納を行うことができる。また、取り外した上半身用カバー部２１及び下半身用カバー部２２は重ねるように縦置きして収納することができる。下半身用カバー部２２が底部２２ａを有するので、安定して縦置きすることができ、また、上半身用カバー部２１は下半身用カバー部２２を支えとして転倒を防止できる。
【００３４】
以上のように実施の形態１における岩盤浴ベッドは構成されているので、以下のような作用が得られる。
（１）ベッド部２の床部３ａ，３ｂが長手方向の中央部で半分割されて折り畳み自在に形成されると共に、入浴部５ａ，５ｂに配設されたカバー部２０が着脱自在であるため、不使用時にカバー部２０を取り外すだけで容易にベッド部２を折り畳んで運搬、収納することができる。
（２）入浴部５ａ，５ｂの面状ヒータ８の上部に配設された防水板１０が金属製であることにより、面状ヒータ８の熱を効率よく短時間で放射体岩盤１２に伝達することができ、加熱時間を短縮することができ省エネルギー性に優れる。
（３）入浴部５ａ，５ｂの上面に表面を露出して遠赤外線等の電磁波を放射する放射体岩盤１２が埋設されているので、面状ヒータ８の熱に加えて放射体岩盤１２からは遠赤外線が発生し、熱及び遠赤外線の両方が入浴者３０を温めるため、サウナ効果に優れると共に、面状ヒータ８の設定温度を低くすることができ、省エネルギー性に優れる。
（４）面状ヒータ８による加熱を停止しても放射体岩盤１２の熱容量が大きく、カバー部２０内の空気に対して長時間にわたって熱や遠赤外線を放射するため、入浴部５ａ，５ｂの保温性に優れる。
（５）放射体岩盤１２の遠赤外線の効果で面状ヒータ８の温度を低くできるため、低温で入浴することができ、高齢者や高血圧等の患者も利用できる。
（６）入浴部５ａ，５ｂの上部に配設されたカバー部２０で入浴者３０の身体を覆って略密閉することができるので、カバー部３０の内側を短時間で加熱することができると共に、内部の熱が外部に逃げるのを防止でき保温性に優れる。
（７）入浴部５ａ，５ｂがカバー部２０で覆われることにより、内部の熱や入浴者３０の汗により発生する湿気がカバー部２０の外部に漏れ難く、遠赤外線効果に優れると共に、設置場所の耐熱性や耐水性を必要とせず、設置自在性に優れる
（８）断熱材７，面状ヒータ８，防水板１０，放射体岩盤１２の外周を囲繞する外周囲繞部１３を有するので、各部を保護することができ、入浴者３０が直接、面状ヒータ８や防水板１０に触れることがなく安全性に優れると共に、放射体岩盤１２が欠ける等の破損を防止することができ、信頼性、耐久性に優れる。
（９）ベッド部２と入浴部５ａ，５ｂを着脱自在に固定する入浴部固定手段１５を有するので、ベッド部２又は入浴部５ａ，５ｂに不具合が発生した場合には、入浴部２を取り外して簡便に不具合発生箇所を検査、修理することができメンテナンス性に優れる。
（１０）カバー部２０が入浴部３０に対して着脱自在なので、ベッド部２や入浴部５ａ，５ｂと別々に製造することができ、量産性に優れると共に、カバー部２０又は入浴部５ａ，５ｂのいずれか一方に故障或いは破損等の不具合が発生した場合に、カバー部２０又は入浴部５ａ，５ｂのみを代替品と交換したり、修理したりすることができる。
（１１）カバー部２０が入浴部５ａ，５ｂに対して着脱自在なので、不使用時にカバー部２０を取り外して入浴部５ａ，５ｂを清掃することができ、メンテナンス性、衛生性に優れる。
（１２）カバー部２０の内面にカバー部面状ヒータ２３を備えることにより、略密閉されたカバー部２０の内部を短時間で加熱することができ実用性に優れる。
（１３）入浴部５ａ，５ｂの面状ヒータ８及び放射体岩盤１２に加えてカバー部面状ヒータ２３を備えることで、全方向から入浴者３０の身体を均一に温めることができ、サウナ効果を高めることができると共に、入浴者３０が姿勢を変える必要がなく、楽な姿勢で長時間に渡って使用することが可能で実用性に優れる。
（１４）カバー部２０が、上半身用カバー部２１と下半身用カバー部２２に分かれているので、取扱い及び運搬が容易で、入浴部５ａ，５ｂへの着脱の作業性に優れる。
（１５）上半身用カバー部２１が略半円筒状に形成され、下半身用カバー部２２が有底略半円筒状に形成されているので、入浴者３０の頭部を除く全身を略密閉された空間の中に収容することができ、加熱の効率性、保温性を向上させることができる。
（１６）上半身用カバー部２１が、下半身用カバー部２２の外径と略同等の内径に形成され、入浴部５ａ，５ｂの長手方向と平行に形設されたガイドレール１４に案内される車輪部２４を備えているので、人手で容易に上半身用カバー部２１を前後にスライドさせることができ、上半身用カバー部２１を大きくずらして入浴部５ａ，５ｂに出入りしたり、カバー部２０の全長を調整したりできる。
（１７）ガイドレール１４が、放射体岩盤１２の両側部に入浴部５ａ，５ｂの長手方向と平行に外周囲繞部１３に形設されているので、上半身用カバー部２１をガイドレール１４で位置決め固定することができ、取扱い性に優れる。
（１８）上半身用カバー部２１が、下半身用カバー部２２の外径と略同等の内径に形成されているので、不使用時に重ねてコンパクトに収納することができ省スペース性に優れる。
（１９）施設等に複数台、設置する場合に、岩盤浴ベッド１毎に独立して運転することができるので、個別に電源のＯＮ／ＯＦＦを切り替えることができ省エネルギー性に優れると共に、複数の岩盤浴ベッド１の入浴部５ａ，５ｂの温度を個別に設定することができるので、高温用や低温用などに使い分けることができ汎用性、実用性に優れる。
（２０）上半身用カバー部２１の下半身用カバー部２２側の端部に、下半身用カバー部２１の外周面と密着するシール部材２１ｃを配設することにより、上半身用カバー部２１と下半身用カバー部２２との隙間を閉塞して気密性、保温性を確保することができ、サウナ効果を高めることができる。
（２１）入浴部５ａ，５ｂの外周が外周囲繞部１３で囲繞されると共に、入浴部５ａ，５ｂの底部全体がベッド部２の床部３ａ，３ｂで支持されることにより、入浴部５ａ，５ｂの剛性を確保して変形を防止することができる。
（２２）入浴部５ａ，５ｂがベッド部２に対して着脱自在であることにより、ベッド部２と入浴部５ａ，５ｂを別々に製造することができ、量産性に優れると共に、いずれか一方に不具合が発生した場合に、ベッド部２又は入浴部５ａ，５ｂのみを代替品と交換したり、修理したりすることができ省資源性に優れる。
（２３）上半身用カバー部２１の開口部に入浴者３０の首周りを密閉する密閉部材２１ａを有するので、カバー部２０内の気密性、保温性を高めることができ、加熱の効率性に優れる。
（２４）密閉部材２１ａが上半身用カバー部２１に対して着脱自在であることにより、密閉部材２１ａを取り外した状態でカバー部２内に入り、その後、密閉部材２１ａを取り付けて首周りを確実に密閉できるので、入浴部への出入りを容易に行うことができ実用性に優れる。
（２５）密閉部材２１ａを着脱自在とすることで容易に交換、清掃を行うことができ、衛生的でメンテナンス性に優れる。
【産業上の利用可能性】
【００３５】
本考案は、遠赤外線効果を利用した低温の岩盤浴ベッドに関し、放射体の遠赤外線効果を利用して低温で入浴でき安全性に優れ、入浴部に気密性、断熱性を有するカバー部を覆設して密閉空間を形成することにより、設置場所の耐水性や耐熱性を考慮する必要がなく設置自在性に優れると共に、遠赤外線効果を有効に利用でき省エネルギー性に優れ、カバー部を着脱自在とすることで入浴部の清掃が容易でメンテナンス性、衛生性に優れ、カバー部を取り外した状態で入浴部が形成されたベッド部を簡便に折り畳むことができ、運搬が容易で不使用時の省スペース性、実用性に優れる岩盤浴ベッドを提供することができ、健康増進やダイエット、温熱療法等を目的として、一般家庭或いは施設に設置して用いることができる。
【図面の簡単な説明】
【００３６】
【図１】（ａ）実施の形態１における岩盤浴ベッドの使用状態を示す全体斜視図（ｂ）実施の形態１における岩盤浴ベッドの入浴部を開口した状態を示す全体斜視図
【図２】図１（ａ）におけるＡ−Ａ線矢視断面図
【図３】実施の形態１における岩盤浴ベッドの入浴部を示す平面図
【図４】図３におけるB−B線要部矢視断面図
【図５】実施の形態１における岩盤浴ベッドの折り畳み状態を示す側面図
【符号の説明】
【００３７】
１  岩盤浴ベッド
２  ベッド部
２ａ  連結部材
３ａ，３ｂ  床部
３ｃ  回動軸
４  脚部
４ａ  軸支部
４ｂ  キャスター
５ａ，５ｂ  入浴部
６  基部
７  断熱材
８  面状ヒータ
８ａ  電気ケーブル
８ｂ  コントローラ
９，１１  接着層
１０  防水板
１０ａ  防水板固定部
１２  放射体岩盤
１３  外周囲繞部
１３ａ  端部保護板
１４  ガイドレール
１５  入浴部固定手段
２０  カバー部
２１  上半身用カバー部
２１ａ  密閉部材
２１ｂ  把手部
２１ｃ  シール部材
２２  下半身用カバー部
２２ａ  底部
２３  カバー部面状ヒータ
２４  車輪部
【図１】
0003116558.tif 000003
【図２】
0003116558.tif 000004
【図３】
0003116558.tif 000005
【図４】
0003116558.tif 000006
【図５】
0003116558.tif 000007